【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
戦術活動のための戦術訓練の方法であって、
可搬式訓練構造物を組み立てるステップと、
訓練活動中に遭遇する構造物を模するよう前記可搬式構造物を使用して戦術訓練模擬セッションを行うステップと、
前記可搬式訓練構造物を分解するステップとを含み、
前記可搬式訓練構造物を組み立てるステップは、
複数の壁支持体を複数の壁支持体コネクタに取り付けるステップを含み、
壁支持体は、第一端部と、第二端部とを含み、前記壁支持体は、前記第一端部と前記第二端部との間のある長さを含み、前記第一端部及び前記第二端部は、壁支持体コネクタに接続するように構成され、
壁支持体コネクタは、概ね水平な平面を含み、前記コネクタは、前記水平な平面内に、第一軸と、第二軸とを含み、前記第一軸及び前記第二軸は、概ね垂直な角度で交差し、前記壁支持体コネクタは、前記第一軸の上の第一端部及び第二端部と、前記第二軸の上の第一端部及び第二端部とを含み、前記第一軸の前記第一端部及び前記第二端部は、前記第一軸の両端部に配置され、前記第一軸の前記第一端部及び前記第二端部は、壁支持体に接続するように構成され、前記第二軸の前記第一端部及び前記第二端部は、前記第二軸の両端部に配置され、前記第二軸の前記第一端部及び前記第二端部は、壁支持体に接続するように構成され、前記壁支持体コネクタは、第三軸を含み、該第三軸は、前記第一軸及び前記第二軸の交差点で、前記第一軸及び前記第二軸と交差し、前記第三軸は、前記第一軸及び前記第二軸及び前記第三軸の交差点で、前記第一軸及び前記第二軸に対して概ね垂直であり、前記第三軸は、第一端部と、第二端部とを含み、前記第三軸の前記第一端部は、前記第一軸及び前記第二軸及び前記第三軸の交差点に接続され、前記第三軸の前記第二端部は、壁支持体に接続するように構成され、
壁区画の隅部が、第一壁支持体の第一端部を前記壁支持体コネクタの前記第一軸の前記第一端部に接続することによって、並びに、第二壁支持体を前記第二軸の前記端部に取り付けることによって、並びに、第三壁支持体を前記第三軸の前記第一端部に取り付けることによって形成され、少なくとも１つの部屋を含む可搬式構造物が、前記可搬式構造物の複数の隅部を形成するよう、複数の支持体コネクタと複数の壁支持体を接続することによって組み立てられ、複数の相互接続される隅部が、可搬式構造枠組構成部材を含む可搬式構造枠組を形成し、壁材料を少なくとも１つの可搬式構造物に取り付けて前記可搬式構造物の壁を形成し、
前記壁支持体は、調節可能な長さを含み、当該方法は、前記壁支持体の前記長さを調節するステップを含む、
方法。
【請求項２】
前記可搬式訓練構造物を組み立てるステップは、
部屋枠組構造を組み立てるステップと、
多数の部屋枠組構造を形成するよう枠組構造部分を前記第一部屋枠組構造に取り付けるステップと、
前記可搬式訓練構造物の壁を形成するよう壁材料を前記枠組構造部分に取り付けるステップとを含む、
請求項１に記載の戦術活動のための戦術訓練の方法。
【請求項３】
前記可搬式訓練構造物を組み立てるステップは、
一連の壁支持体と壁支持体コネクタを提供するステップと、
構造枠組を形成するよう前記壁支持体と前記壁支持体コネクタとを接続するステップと、
前記可搬式訓練構造物のための壁を形成するために壁材料を壁支持体に取り付けるステップとを含む、
請求項１に記載の戦術活動のための戦術訓練の方法。
【請求項４】
前記可搬式訓練構造物を組み立てるステップは、
第一部屋枠組を組み立てるステップと、
第二部屋枠組を形成するために複数の壁支持体及び壁支持体コネクタを前記第一部屋枠組に取り付けるステップとを含み、
前記第一部屋枠組は、部屋空間を定める、
請求項３に記載の戦術活動のための戦術訓練の方法。
【請求項５】
前記可搬式訓練構造物を組み立てるステップは、
複数の壁コネクタ及び壁支持体を複数の部屋を含む構造枠組に組み立てるステップを含む、
請求項３に記載の戦術活動のための戦術訓練の方法。
【請求項６】
前記壁材料は、前記構造壁を形成するために、前記壁支持体及び前記壁コネクタに取り付けられ、或いは前記壁材料は、前記構造壁を形成するために、前記壁コネクタに取り付けられる、請求項５に記載の戦術活動のための戦術訓練の方法。
【請求項７】
訓練される人は、軍人及び法執行人で構成される群から選択される、請求項１に記載の戦術活動のための戦術訓練の方法。
【請求項８】
複数の隅部を接続することは、壁枠組を形成し、部屋枠組は、複数の隅部を形成するよう配置される８個の壁支持体コネクタと１２個の壁支持体とを含み、複数の隅部は、部屋枠組を形成するよう配置され、前記部屋枠組は、多数の部屋枠組構造を形成するよう、第二部屋枠組に付着するように構成され、前記部屋枠組の前記壁支持体及び前記壁支持体コネクタは、部屋枠組内に配置されるときに、第一壁開口と、第二壁開口と、第三壁開口と、第四壁開口と、天井開口とを形成するように構成され、前記部屋枠組は、少なくとも１つの壁を形成するよう、前記壁材料に付着するように構成され、前記壁材料は、前記壁を形成するよう、少なくとも１つの壁開口の一部を覆うように構成され、前記部屋枠組は、多数の部屋枠組を形成するよう、第二部屋枠組に付着するように構成される、請求項１に記載の戦術活動のための戦術訓練の方法。
【請求項９】
当該方法は、前記可搬式構造物が分解された後、前記可搬式構造物を少なくとも１つの貯蔵容器内に配置するステップを含む、請求項１に記載の戦術活動のための戦術訓練の方法。
【請求項１０】
前記壁支持体は、伸縮式に調節可能な長さを含む、請求項１に記載の戦術活動のための戦術訓練の方法。
【請求項１１】
前記壁材料は、ナイロン及び粗布で構成される群から選択される少なくとも１つの材料を含む、請求項２に記載の戦術活動のための戦術訓練の方法。
【請求項１２】
前記壁支持体は、管状支持体を含む、請求項１に記載の戦術活動のための戦術訓練の方法。
【請求項１３】
前記管状支持体は、アルミニウム、プラスチック、及び、木で構成される群から選択される材料を含む、請求項１２に記載の戦術活動のための戦術訓練の方法。
【請求項１４】
前記可搬式訓練構造物は、複数の部屋を含み、或いは前記可搬式訓練構造物は、多数の異なる構造向きに組み立てられることが可能であり、或いは前記可搬式訓練構造物は、少なくとも１つの開口を含む、請求項１に記載の戦術活動のための戦術訓練の方法。
【請求項１５】
複数の壁支持体と、
複数の壁支持体コネクタとを含む、
可搬式構造物であって、
少なくとも１つの壁支持体コネクタは、水平な平面を概ね定め、該水平な平面は、第一軸と、第二軸とを含み、前記第一軸及び前記第二軸は、前記第一軸及び前記第二軸が前記概ね水平な平面内にあるように概ね向けられ、前記第一軸及び前記第二軸は、概ね垂直な角度で交差して、前記第一軸及び前記第二軸が交差する中心を定め、前記第一軸及び第二軸は、第一端部と、第二端部とを有し、前記第一端部及び前記第二端部は、壁支持体への接続のために構成され、前記壁支持体コネクタは、垂直な平面を定め、該垂直な平面は、前記水平な平面に対して概ね垂直であり、前記垂直な平面は、垂直軸を含み、該垂直軸は、前記中心で接続される第一端部と、壁支持体に接続されるように構成される第二端部とを含み、
前記壁支持体は、当該可搬式構造物の枠組を形成するよう前記壁支持体コネクタに接続するように構成され、
前記壁支持体は、壁材料を支持するように構成され、該壁材料は、当該可搬式構造物のための壁を形成するように構成され、該壁は、出入りのために構成される少なくとも１つの開口を含み、
複数の壁支持体が、複数の壁支持体コネクタに取り付けられ、
壁支持体は、第一端部と、第二端部とを含み、前記壁支持体は、前記第一端部と前記第二端部との間のある長さを含み、前記第一端部及び前記第二端部は、壁支持体コネクタに接続するように構成され、
壁支持体コネクタは、概ね水平な平面を含み、前記コネクタは、前記水平な平面内に、第一軸と、第二軸とを含み、前記第一軸及び前記第二軸は、概ね垂直な角度で交差し、前記壁支持体コネクタは、前記第一軸の上の第一端部及び第二端部と、前記第二軸の上の第一端部及び第二端部とを含み、前記第一軸の前記第一端部及び前記第二端部は、前記第一軸の両端部に配置され、前記第一軸の前記第一端部及び前記第二端部は、壁支持体に接続するように構成され、前記第二軸の前記第一端部及び前記第二端部は、前記第二軸の両端部に配置され、前記第二軸の前記第一端部及び前記第二端部は、壁支持体に接続するように構成され、前記壁支持体コネクタは、第三軸を含み、該第三軸は、前記第一軸及び前記第二軸の交差点で、前記第一軸及び前記第二軸と交差し、前記第三軸は、前記第一軸及び前記第二軸及び前記第三軸の交差点で、前記第一軸及び前記第二軸に対して概ね垂直であり、前記第三軸は、第一端部と、第二端部とを含み、前記第三軸の前記第一端部は、前記第一軸及び前記第二軸及び前記第三軸の交差点に接続され、前記第三軸の前記第二端部は、壁支持体に接続するように構成され、
壁区画の隅部が、第一壁支持体の第一端部を前記壁支持体コネクタの前記第一軸の前記第一端部に接続することによって、並びに、第二壁支持体を前記第二軸の前記端部に取り付けることによって、並びに、第三壁支持体を前記第三軸の前記第一端部に取り付けることによって形成され、少なくとも１つの部屋を含む可搬式構造物が、前記可搬式構造物の複数の隅部を形成するよう、複数の支持体コネクタと複数の壁支持体を接続することによって組み立てられ、複数の相互接続される隅部が、可搬式構造枠組構成部材を含む可搬式構造枠組を形成し、壁材料を少なくとも１つの可搬式構造物に取り付けて前記可搬式構造物の壁を形成し、
前記壁支持体は、調節可能な長さを含む、
可搬式構造物。